(57)【特許請求の範囲】
【請求項１】
収納部を有するハウジングと、この収納部にスライド移動可能に配設されたスライド部材と、前記収納部を覆うように前記ハウジングの上面に取り付けられたカバーとを備え、前記ハウジングには、収納部の内底面を取り囲む側壁部の内側に沿って、側壁部の上端面より低い段差部を形成し、この段差部の一部に底面側に貫通する貫通孔を設け、この貫通孔に前記カバーに設けられ、前記貫通孔の内壁と当接して前記内壁との間に所定の間隔を保持する突起部を有する折り曲げ片を嵌合させて固定すると共に、前記段差部内に前記カバーの外周縁を収納して、前記カバーの上端面が前記ハウジング側壁部の上端面よりも下方に位置するように取り付けたことを特徴とするスイッチ装置。
【請求項２】
前記貫通孔には、前記折り曲げ片を拡開または屈曲させるためのポンチが挿通される挿通孔が連設されていることを特徴とする請求項１記載のスイッチ装置。
【請求項３】
前記段差部には、前記カバーの外周縁が載置される面に防塵用の溝部を形成したことを特徴とする請求項１記載のスイッチ装置。
【発明の詳細な説明】
【０００１】
【発明の属する技術分野】
本発明は、携帯用の通信機器や音響機器などの薄型の電子機器の各種操作用スイッチとして使用される薄型スライドスイッチの構造に関する。
【０００２】
【従来の技術】
従来の電子機器の各種操作用スイッチとして使用されるスライドスイッチは、図７に示す構造のものが知られている。
【０００３】
この従来のスライドスイッチは、内底面に図示しない複数の固定接点が配設されたハウジング１１と、この固定接点と摺接する図示しない可動接点を保持し、前記ハウジング１１内にスライド移動可能に配設されたスライド部材１７と、このスライド部材１７を覆って前記ハウジング１１上に取り付けられたカバー１８とから構成されている。
【０００４】
前記ハウジング１１は、合成樹脂などの絶縁材で有底の箱状に形成されており、このハウジング１１には図示しない収納部が設けられている。そして、この収納部に前記可動接点及びスライド部材１７が収納されており、この収納部を覆うように前記ハウジング１１の上面側に前記カバー１８が嵌着されて前記可動接点やスライド部材１７などの飛び出しを防止している。
【０００５】
この場合、前記カバー１８は、薄板状の金属板から形成されており、平板状の上板部１８ａと、この上板部１８ａの両側部に折り曲げられて垂下された、一対の側板部１８ｂから形成されている。前記側板部１８ｂには図示しない係合凹部が設けられており、この係合凹部が前記ハウジング１１の外側面に設けられた図示しない係合突部に外側からはめ込まれることにより前記ハウジング１１の上面に取り付けられるものとなっている。
【０００６】
【発明が解決しようとする課題】
しかしながら、上述した従来のスライドスイッチの構造においては、前記ハウジング１１の外側面及び上面にかけて被せるように前記カバー１８を取り付けていることから、ハウジング１１の上端面とカバー１８との間の隙間から塵埃が侵入してしまい接触不良や動作不良になるという問題があった。
【０００７】
従って本発明は、上述した問題点を解決し、ハウジングとカバーとの隙間をなくし、スイッチ内部への異物の侵入を阻止して、接触不良や動作不良を確実に防止できるスイッチ装置を提供することを目的とする。
【０００８】
【課題を解決するための手段】
上記課題を解決するために本発明では第１の手段として、収納部を有するハウジングと、この収納部にスライド移動可能に配設されたスライド部材と、前記収納部を覆うように前記ハウジングの上面に取り付けられたカバーとを備え、前記ハウジングには、収納部の内底面を取り囲む側壁部の内側に沿って、側壁部の上端面より低い段差部を形成し、この段差部の一部に底面側に貫通する貫通孔を設け、この貫通孔に前記カバーに設けられ、前記貫通孔の内壁と当接して前記内壁との間に所定の間隔を保持する突起部を有する折り曲げ片を嵌合させて固定すると共に、前記段差部内に前記カバーの外周縁を収納して、前記カバーの上端面が前記ハウジング側壁部の上端面よりも下方に位置するように取り付けたことを特徴とする。
【００１０】
また、第２の手段として、前記貫通孔には、前記折り曲げ片を拡開または屈曲させるためのポンチが挿通される挿通孔が連設されていることを特徴とする。
【００１１】
また、第３の手段として、前記段差部には、前記カバーの外周縁が載置される面に防塵用の溝部を形成したことを特徴とする。
【００１２】
【発明の実施の形態】
以下、本発明のスライドスイッチの実施の形態を図１乃至図６に示す。図１は本発明のスライドスイッチの平面図、図２は同じく底面図、図３は図１の３−３線における断面図、図４は図１の４−４線における断面図、図５はハウジングの平面図、図６は図５の６−６線における断面図である。
【００１３】
図において、ハウジング１は、合成樹脂などの絶縁材からなり、上面が開口された方形状の箱型に形成されている。このハウジング１の中央には収納部１ａが形成されており、この収納部１ａの内底面を取り囲むように四辺に側壁部１ｂが形成されている。また、前記側壁部１ｂには、側壁部１ｂの内側に沿って、側壁部１ｂの上端面より一段低い位置に段差部１ｃ、１ｄが形成されている。この段差部１ｃ、１ｄのうち短辺側の対向する一対の段差部１ｃには、前記ハウジング１の底面側に貫通する貫通孔１ｅが形成されており、また、前記段差部１ｃ、１ｄのうち長辺側の対向する一対の段差部１ｄには、この段差部１ｄよりもさらに低い長尺状の溝部１ｆが形成されている。
【００１４】
前記貫通孔１ｅには、後述するカバー８に設けられた折り曲げ片８ｂが嵌合されて固定されるものとなっており、前記貫通孔１ｅには、前記ハウジング１の底面側に連設された、やや幅広の挿通孔１ｇが形成されている。この挿通孔１ｇに、前記ハウジング１の底面側から、かしめ用の治具であるポンチ２が挿通されて、前記折り曲げ片８ｂが拡開または屈曲されることにより、カバー８が前記ハウジング１の側壁部１ｂの前記段差部１ｃ、１ｄに取り付けられるものとなっている。
【００１５】
また、長尺状の前記溝部１ｆを設けることにより、長辺側の対向する前記段差部１ｄに、後述するカバー８の外周縁が載置された時に、カバー８の外周縁との隙間から塵埃などが侵入した場合でも、塵埃などを前記溝部１ｆに留めることができ、前記収納部１ａの内部へ塵埃などが侵入するのを防止することができる。
【００１６】
前記収納部１ａの内底面の中央には、導電性の金属板からなる共通固定接点３が片面を表出して配設されており、この共通固定接点３を挟んで対向する位置に、同じく導電性の金属板からなる一対の個別固定接点４、４が片面を表出して配設されている。前記共通固定接点３及び個別固定接点４、４は、前記ハウジング１の内底部にインサート成形などの方法で一体に形成されている。
【００１７】
前記ハウジング１の長辺側の対向する側部には、図示しない回路基板などの回路パターンと接続される接続端子５、６が突出して形成されており、この接続端子５、６は、前記ハウジング１の内底部内で前記共通固定接点３及び個別固定接点４、４と導通された状態で配設されたものとなっている。
【００１８】
スライド部材７は、合成樹脂などの絶縁材で形成されており、前記ハウジング１の収納部１ａに収納されてスライド移動可能に配設される基板部７ａと、この基板部７ａから突出して形成され、指などで操作される操作部７ｂとから形成されている。
【００１９】
前記基板部７ａには、図示しない導電性の金属材からなる可動接点が保持されており、前記操作部７ｂが操作されることにより、この可動接点が前記共通固定接点３及び個別固定接点４、４上を摺接して、接点の切り換えが行われるものとなっている。
【００２０】
カバー８は、薄板状の金属板で略方形状に形成されており、このカバー８の中央には方形状の開口部８ａが設けられている。この開口部８ａに前記スライド部材７の操作部７ｂが挿通されてスライド可能に配設されるものとなっている。
【００２１】
また、前記カバー８の短辺側の両辺には、下側にＬ字状に折り曲げられた折り曲げ片８ｂが対向して一対形成されている。この折り曲げ片８ｂの中央には、前記貫通孔１ｅの内壁と当接して、前記折り曲げ片８ｂと内壁との間に所定の間隔を保持する、一対の突起部８ｃが平行して設けられており、また、中央下端側には、かしめ用の治具である前記ポンチ２の先端部が挿通される切り込み部８ｄが形成されている。この切り込み部８ｄに前記ポンチ２が挿通されることにより、前記折り曲げ片８ｂの下端部が拡開または屈曲されて、前記折り曲げ片８ｂが前記貫通孔１ｅに固定されるものとなる。
【００２２】
この時、前記カバー８の折り曲げ片８ｂに、前記貫通孔１ｅの内壁との間に所定の間隔を形成するための一対の前記突起部８ｃを形成したことから、前記折り曲げ片８ｂが前記貫通孔１ｅの内壁に密着することなく所定の間隔を保持しているため、カシメ用の治具である前記ポンチ２と、前記折り曲げ片８ｂとを確実に当接させることが可能となり、前記折り曲げ片８ｂを前記貫通孔１ｅに確実に固定できるものとなっている。
【００２３】
前記カバー８を前記ハウジング１に取り付ける場合には、図３及び図４に示すように、前記カバー８を前記ハウジング１の上面開口側から挿入し、前記ハウジング１の一対の貫通孔１ｅに前記カバー８の一対の折り曲げ片８ｂを嵌合させる。そして、前記カバー８の周縁部を、前記収納部１ａの四辺の側壁部１ｂの内側に沿って、側壁部１ｂの上端面より一段低い位置に形成された前記段差部１ｃ、１ｄに載置させる。この時、前記段差部１ｃ、１ｄによって前記カバー８の上端面は、前記ハウジング１の側壁部１ｂの上端面よりも下方に位置するよう取り付けられるものとなっている。
【００２４】
次に、前記ハウジング１の貫通孔１ｅに連設された前記挿通孔１ｇに、前記ハウジング１の底面側から、かしめ用の治具である前記ポンチ２の先端部を前記切り欠き部８ｄに挿通して、前記折り曲げ片８ｂの下端部を左右に拡開または屈曲することにより、前記折り曲げ片８ｂを前記貫通孔１ｅに固定する。すなわち、前記折り曲げ片８ｂを前記貫通孔１ｅに嵌合させてかしめることにより、前記カバー８を前記ハウジング１の側壁部１ｂの前記段差部１ｃ、１ｄに取り付けるものとなっている。
【００２５】
この場合、図３及び図４に示すように、前記ハウジング１の貫通孔１ｅに、ハウジング１の底面側に連設するやや幅広の前記挿通孔１ｇを形成したことから、前記挿通孔１ｇ内にかしめ用の治具である前記ポンチ２を容易に挿入して前記折り曲げ片８ｂをかしめることができるため、前記カバー８を確実に前記ハウジング１の側壁部１ｂに取り付けることが可能となる。
【００２６】
上記の実施例においては、前記カバー８を前記ハウジング１に取り付ける場合に、前記カバー８の周縁部を、前記収納部１ａの四辺の側壁部１ｂの内側に沿って、側壁部１ｂの上端面より一段低い位置に形成された前記段差部１ｃ、１ｄに載置させると共に、前記段差部１ｃ、１ｄによって前記カバー８の上端面を、前記ハウジング１の側壁部１ｂの上端面よりも下方に位置するよう取り付けるようにしたことから、前記カバー８の前記ハウジング１への固定部を取り囲むように、前記カバー８の上端面よりも高い側壁部１ｂを形成することができるため、前記ハウジング１の上端面と前記カバー８周縁部との隙間から、塵埃や異物などが侵入するのを防止することができるものとなっている。
【００２７】
【発明の効果】
以上説明したように、本発明のスイッチ装置は、収納部を有するハウジングと、この収納部にスライド移動可能に配設されたスライド部材と、収納部を覆うようにハウジングの上面に取り付けられたカバーとを備え、ハウジングには、収納部の内底面を取り囲む側壁部の内側に沿って、側壁部の上端面より低い段差部を形成し、この段差部の一部に底面側に貫通する貫通孔を設け、この貫通孔にカバーに設けた折り曲げ片を嵌合させて固定すると共に、段差部内にカバーの外周縁を収納して、カバーの上端面がハウジング側壁部の上端面よりも下方に位置するように取り付けたことから、カバーのハウジングへの固定部を取り囲むように、カバーの上端面よりも高い側壁部を形成することができるため、ハウジングの上端面とカバー周縁部との隙間から、塵埃や異物などが侵入するのを防止することができる。
【００２８】
また、カバーの折り曲げ片には、貫通孔の内壁と当接して、折り曲げ片と内壁との間に所定の間隔を保持する突起部を形成したことから、折り曲げ片が貫通孔の内壁に密着することなく所定の間隔を保持しているため、カシメ用の治具であるポンチと、折り曲げ片とを確実に当接させることが可能となり、折り曲げ片を貫通孔に確実に固定することができる。
【００２９】
また、貫通孔には、折り曲げ片を拡開または屈曲させるためのポンチが挿通される挿通孔が連設されていることから、挿通孔内にかしめ用の治具であるポンチを容易に挿入して折り曲げ片をかしめることができるため、カバーを確実にハウジングの側壁部に取り付けることが可能となる。
【００３０】
また、段差部には、カバーの外周縁が載置される面に防塵用の溝部を形成したことから、段差部にカバーの外周縁が載置された時に、例えカバーの外周縁との隙間から塵埃などが侵入した場合でも、塵埃などをこの溝部に留めることができ、収納部の内部へ塵埃などが侵入するのを防止することができる。
【図面の簡単な説明】
【図１】本発明の一実施例であるスライドスイッチを示す平面図である。
【図２】本発明の同じくスライドスイッチを示す底面図である。
【図３】本発明の図１の３−３線における断面図である。
【図４】本発明の図１の４−４線における断面図である。
【図５】本発明の同じくハウジングを示す平面図である。
【図６】本発明の図５の６−６線における断面図である。
【図７】従来のスライドスイッチを示す側面図である。
【符号の説明】
１  ハウジング
１ａ  収納部
１ｂ  側壁部
１ｃ，１ｄ  段差部
１ｅ  貫通孔
１ｆ  溝部
１ｇ  挿通孔
２  ポンチ
３  共通固定接点
４  個別固定接点
５，６  接続端子
７  スライド部材
７ａ  基板部
７ｂ  操作部
８  カバー
８ａ  開口部
８ｂ  折り曲げ片
８ｃ  突起部
８ｄ  切り込み部
【図１】
0004034526.tif 000002
【図２】
0004034526.tif 000003
【図３】
0004034526.tif 000004
【図４】
0004034526.tif 000005
【図５】
0004034526.tif 000006
【図６】
0004034526.tif 000007
【図７】
0004034526.tif 000008